(57)【要約】      （修正有）【課題】見て楽しむだけでなく、グッズ自体の汚れを分解し或いはグッズを配置している周囲の空間の消臭等をすることができるキャラクターグッズを提供する。【解決手段】樹脂板の被印刷体３と、被印刷体の少なくとも一部を支持する支持手段４と、被印刷体に印刷されたキャラクターの図柄２と、被印刷体に塗布された光触媒とで構成される。被印刷体の少なくとも一部は、図柄の外形線のやや外側を外形線に沿うように形成されている。【選択図】図１
0003232949.tif 000002
【実用新案登録請求の範囲】
【請求項１】
被印刷体と、前記被印刷体に印刷されたキャラクターの図柄と、前記被印刷体に塗布された光触媒とで構成されるキャラクターグッズ。
【請求項２】
樹脂板の被印刷体と、前記被印刷体の少なくとも一部を支持する支持手段と、前記被印刷体に印刷されたキャラクターの図柄と、前記被印刷体に塗布された光触媒とで構成されるキャラクターグッズ。
【請求項３】
前記被印刷体の少なくとも一部は、前記図柄の外形線のやや外側を前記外形線に沿うように形成されていることを特徴とする請求項２に記載のキャラクターグッズ。
【考案の詳細な説明】
【技術分野】
【０００１】
本考案は表面に光触媒が塗布されたキャラクターグッズに関する。
【背景技術】
【０００２】
従来、人物やアニメーションの登場人物等の図柄が印刷又は立体的に造形されたキャラクターグッズとしては、「上半身部と下半身部で構成されるキャラクターグッズにおいて、上記上半身部及び下半身部は平板状で、水平な下半身部の後方には上半身部が垂直に起立したＬ形とし、そして上半身部と下半身部は結合手段によって結合し、必要に応じて分離することが出来るように構成したことを特徴とするキャラクターグッズ」が知られている（特許文献１）。
【０００３】
しかしながら、このようなキャラクターグッズは、単に図柄等が印刷されているだけなので、見て楽しむこと等はできるものの、グッズ自体の汚れを分解し、或いはグッズを配置している周囲（付近）の空間の消臭等ができるものではなかった。
【先行技術文献】
【特許文献】
【０００４】
【特許文献１】実用新案登録第３２２０２２７号公報
【考案の概要】
【考案が解決しようとする課題】
【０００５】
本考案は以上のような従来の欠点に鑑み、見て楽しむだけでなく、グッズ自体の汚れを分解し、或いはグッズを配置している周囲の空間の消臭等をすることができるキャラクターグッズを提供することを目的としている。
【０００６】
本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００７】
上記目的を達成するために、本考案の請求項１に記載されたキャラクターグッズは、被印刷体と、前記被印刷体に印刷されたキャラクターの図柄と、前記印刷体に塗布された光触媒とで構成されることを特徴とする。
【０００８】
請求項２に記載されたキャラクターグッズは、樹脂板の被印刷体と、前記被印刷体の少なくとも一部を支持する支持手段と、前記被印刷体に印刷されたキャラクターの図柄と、前記印刷体に塗布された光触媒とで構成されることを特徴とする。
【０００９】
請求項３に記載されたキャラクターグッズの前記被印刷体の少なくとも一部は、前記図柄の外形線のやや外側を前記外形線に沿うように形成されている。
ここで「キャラクター」とは、普通、視覚なり、聴覚によって把握することができ、漫画や映画、アニメーションなどに登場する人物なり、動物、ロボットなどをいうほか（狭義）、言語によって表現される小説などに登場する架空の人物や、人気を得ている芸能タレントも含むとされている（広義）が、本願考案では、考案の課題を逸脱しない限り、さらに、歴史上の人物、実在の人物等も含むものである（最広義）。
【考案の効果】
【００１０】
以上の説明から明らかなように、本考案は、被印刷体に図柄を印刷するとともに光触媒を塗布しているので、見て楽しむだけでなく、グッズ自体の汚れを分解し、或いはグッズを配置している周囲の消臭等をすることができる。
【図面の簡単な説明】
【００１１】
図１及び図２は本考案の第１の実施形態を示す説明図である。
図３は本考案の第２の実施形態を示す説明図である。
図４は本考案の第３の実施形態を示す説明図である。
図５は本考案の第４の実施形態を示す説明図である。
図６は本考案の第５の実施形態を示す説明図である。
【図１】第１実施形態のキャラクターグッズの正面図。
【図２】キャラクターグッズの分解斜視図。
【図３】第２実施形態のキャラクターグッズの正面図。
【図４】第３実施形態のキャラクターグッズの正面図。
【図５】第４実施形態のキャラクターグッズの正面図。
【図６】第５実施形態のキャラクターグッズの正面図。
【考案を実施するための形態】
【００１２】
以下、図面に示す本考案を実施するための形態により、本考案を詳細に説明する。
図１乃至図３に示す本考案を実施するための第１の形態において、１は、「キャラクター」の一例であるアニメーションのキャラクターイラストの図柄２が印刷されたキャラクターグッズである。
【００１３】
このキャラクターグッズ１は、アクリル、ポリプロピレン等の樹脂で形成された立体的形状、例えば板状の被印刷体３と、被印刷体３の下部に取り付けられ、前記被印刷体３を支持する支持手段４と、前記被印刷体３に印刷されたアニメーションのキャラクターイラストや人物の写真又はイラスト等の図柄２とで構成されている。なお、「図柄」とは、写真、イラスト、コンピュータグラフィックス等を含む被印刷体３に印刷可能な画像全般のことをいう。
【００１４】
被印刷体３は、本実施形態では前述したようにアクリル樹脂製の板材で、その表面にはアニメのキャラクターのイラスト等の図柄２が印刷されている。
【００１５】
この被印刷体３は、本実施形態では、下端部を除く外周部が印刷された図柄２の外形線（輪郭）のやや外側を前記外形線に沿うように多少余地を有して形成されている。外形線（輪郭）のやや外側を前記外形線に沿うように多少余地を有して形成されるとは、印刷された図柄２を縁取りするように、図柄のやや外側を切り抜いたように形成されていることである。
【００１６】
この外形線には、キャラクターのイラスト等だけでなく、そのキャラクターが持っている物や背景の絵柄等の図柄も含むものである。なお、外形線（輪郭）のやや外側を前記外形線に沿うように形成する手法としては、板状の被印刷体３に図柄２を印刷した後、切り抜き、打ち抜き等で成型する方法や、あらかじめ外形線（輪郭）のやや外側を前記外形線に沿うように成型した被印刷体３に対して図柄２を印刷してもよい。
【００１７】
また、この被印刷体３の底面の中央部には、支持手段４と係合させるための突片状の係合片５が設けられている。前記突片状の係合片５は、単数又は複数でも良い。支持手段４の略中部には、前記突片状の係合片５が密着状態に係入する直線状の被係合部、例えば横長状の係合孔６が形成されている。したがって、前記係合片５と支持手段４の係合孔６を係合させることにより被印刷体３の少なくとも一部を支持することができる。
【００１８】
付言すると、ベース板４には、被印刷体３の底面に形成された係合片５が挿入状態で係合するスリット状の係合孔６が設けられており、この係合孔６に係合片５を挿入することにより、被印刷体３をスタンドのように立たせた状態（直立姿勢）で支持できる。
【００１９】
支持手段４は、本実施形態では、被印刷体３が立った状態でその底面を支持する略円形又は略多角形の平板状のベース板４で、このベース板４は前記被印刷体３と同様の材質の板で形成されている。
【００２０】
前記図柄２は、本実施の形態においてはアニメのキャラクターのイラストで、被印刷体３の表面又は裏面に印刷されている。印刷の方法としては、インクジェット方式が考えられるが、その他の方式で印刷したものであってもよい。
【００２１】
また、光触媒（図示せず）は、前記図柄２を印刷する前又は後に前記被印刷体３の表面又は裏面に塗布される。光触媒を塗布する方法としては、図柄２の印刷と別個に塗布する方法であってもよいし、図柄２を印刷する際に、図柄２を印刷する印刷機を用いて塗布（印刷）してもよい。本実施形態ではインクに混合される光触媒として、酸化チタン利用したものを用いているが、複合型の光触媒やその他の鉱物等を利用した光触媒を用いてもよい。
【００２２】
このように被印刷体３には図柄２と光触媒が印刷されているので、図柄２を見て楽しむだけでなく、光触媒の作用によりその周囲の空間の消臭、抗菌、抗ウイルス、防カビ等をすることができるとともに、図柄２が汚れることを防止することができる。
【００２３】
［考案を実施するための異なる形態］
次に、図３乃至図６に示す本考案を実施するための異なる形態につき説明する。なお、これらの本考案を実施するための異なる形態の説明に当って、前記本考案を実施するための第１の形態と同一構成部分には同一符号を付して重複する説明を省略する。
【００２４】
図３に示す本考案を実施するための第２の形態において、前記本考案を実施するための第１の形態と主に異なる点は、被印刷体３の上部に透孔７を形成し、被印刷体３を吊り下げ状態で支持できる吊り下げ具４Ａを支持手段４Ａとして用いてキーホルダーのように構成した点で、このようなキャラクターグッズ１Ａにしても前記本考案を実施するための第１の形態と同様の作用効果を得ることができる。なお、本実施形態において被印刷体３は、その略全体にわたって図柄２の外形線のやや外側を前記外形線に沿うように形成されている。
【００２５】
図４に示す本考案を実施するための第３の形態において、前記本考案を実施するための第１の形態と主に異なる点は、金属製のバッジを被印刷体３Ａとし、この被印刷体３Ａの表面に図柄２を印刷した点で、このようなキャラクターグッズ１Ｂにしても前記本考案を実施するための第１の形態と同様の作用効果を得ることができる。
なお、本実施形態では、バッジの裏面に設けられた取り付けピン４Ｂを支持手段４Ｂとしている。
【００２６】
図５に示す本考案を実施するための第４の形態において、前記本考案を実施するための第１の形態と主に異なる点は、木材の板を被印刷体３Ｂとし、この被印刷体３Ｂの表面に図柄２を印刷した点で、このようなキャラクターグッズ１Ｃにしても前記本考案を実施するための第１の形態と同様の作用効果を得ることができる。
本実施形態の被印刷体３Ｂは絵馬のような形状に形成してもよく、そのように被印刷体３Ｂを形成する場合には、被印刷体３Ｂの上部付近に透孔７を穿孔し、この透孔７に吊り下げ紐４Ｃを通して支持手段４Ｃとしている。
【００２７】
図６示す本考案を実施するための第５の形態において、前記本考案を実施するための第１の形態と主に異なる点は、布又は紙を被印刷体３Ｃとし、この被印刷体３Ｃの表面に図柄２を印刷した点で、このようなキャラクターグッズ１Ｄにしても前記本考案を実施するための第１の形態と同様の作用効果を得ることができる。
【００２８】
本実施形態では、いわゆるポスターやタペストリー状のキャラクターグッズ１Ｄとしており、支持手段を有していない。そのため、部屋等に本実施形態のキャラクターグッズ１Ｄを飾る場合には、ピン等を用いて部屋の壁等に固定する。
【００２９】
なお、本考案の実施形態においては、アクリルスタンドやキーホルダー、バッジ、絵馬、タペストリー等のキャラクターグッズを想定して説明したが、これらのキャラクターグッズ以外であっても、印刷により被印刷体に図柄を印刷できるグッズであればどのようなものであってもよい。例えば、コースター、パーテーション、マイクロファイバークロス、マイクロファイバータオル、ブランケット、缶ミラー、缶マグネット、スマートフォンケース、ラバーマット、Ｔシャツ、バッグ、ポーチ、マグカップ、うちわ、マスキングテープ、扇子、キャンバスアート、カレンダー、ポストカード、木札、ボールペン、モバイルバッテリー等の表面を印刷体としてキャラクターグッズを構成してもよい。
【産業上の利用可能性】
【００３０】
本考案はキャラクターグッズを製造する産業で利用される。
【符号の説明】
【００３１】
１、１Ａ、１Ｂ、１Ｃ、１Ｄ：キャラクターグッズ、
２：図柄、                        ３、３Ａ、３Ｂ、３Ｃ：被印刷体、
４、４Ａ、４Ｂ、４Ｃ：支持手段、  ５：係合片、
６：係合孔、                      ７：透孔。
【図１】
0003232949.tif 000003
【図２】
0003232949.tif 000004
【図３】
0003232949.tif 000005
【図４】
0003232949.tif 000006
【図５】
0003232949.tif 000007
【図６】
0003232949.tif 000008